(57)【要約】  【課題】ランドセルの前ポケットに設けた開口窓に特殊な装飾シートを取付け、開口部に装着したファスナーに取付けた２個のスライダーの位置で該開口部の開閉を判別する。  【解決手段】  ランドセル本体の前面部１２ａと、前ポケットの前面板部１７との間に設けた開口部２３にファスナー１９を取付け、該ファスナーを閉じるとファスナーの両端部にそれぞれスライダー２１、２１が位置するように設ける。前記ファスナーのスイダーに、表面に反射面を有した柔軟部材を任意形状に折り曲げ又は湾曲させて形成した手持片２６を遊動できるように取付けてある。さらに、前記開口窓２８に特殊な装飾シート３０を取付けたことにより、該装飾シートを通して名前を見ると、該装飾シートの底面に設けた模様が見る角度によって立体的に変化して前記名前が見えるので装飾効果が高まる。【選択図】    図２
0003123182.tif 000002
【実用新案登録請求の範囲】
【請求項１】
上部が開口したランドセル本体（１３）の外側に位置する前面部（１２ａ）に開口窓（２８）を具えた 前ポケット（１５）と該ランドセル本体の上部開口及び前ポケットを覆う蓋カバー（１４）を有するランドセル（１０）において、ランドセル本体の前面部
（１２ａ）と、前ポケットの前面板部（１７）との間に設けた開口部（２３）にファスナー（１９）を取付け、該開口部（２３）を閉じるとファスナーの両端部にそれぞれスライダー（２１、２１）が位置するように配して設けたことを特徴とするランドセル。
【請求項２】
前記開口部（２３）は、前記ランドセル本体の前面部（１２ａ）と、中央部に方形または任意形状に形成して内部にネームカード（４０）を収容するため、装飾シート（３０）を内面に取付けた開口窓（２８）を有する前ポケット（１５）の前面板部の上辺部（１７ａ）と両側辺部（１７ｂ、１７ｃ）の上方部分の三方部分に連続して形成してなり、該開口部に装着したコ字型に連続してファスナー（１９）を具えたファスナー取付片（１８ａ、１８ｂ）の基端を夫々取付け、前記ファスナーに走行可能に手持片（２６）を有したスライダー（２１、２１）を取付けたことを特徴とする請求項１記載のランドセル。
【請求項３】
前記手持片（２６）は、前記開口部（２３）に取付けたファスナー（１９）に対をなして移動可能に装着したスライダー（２１）に、表面に反射面（２５）を有して柔軟部材を任意形状に折り曲げ又は湾曲させて形成すると共に、前記手持片を遊動可能に前記スライダー（２１）に遊動可能に取付けたことを特徴とする請求項2記載のランドセル。
【請求項４】
前記装飾シート（３０）は、透明シートの表面（３１）に、複数の凸レンズ状の突起（３２）を連続した任意パターンで設けると共に、該透明シートの裏面（３３）に、表面（３１）と同じ連続パターンを持つ模様（３５）を、表面（３１）の連続パターンに対して変位させて印刷してなることを特徴とする請求項２記載のランドセル。
【考案の詳細な説明】
【技術分野】
【０００１】
本考案は、ランドセル本体の外部に設けた前ポケットを改良したランドセルに関する。
【背景技術】
【０００２】
従来、学童が通学に使用するランドセルは、教科書やノートなどを収容するため上部が開口した主収容部や副収容部を有したランドセル本体の外側に、三角定規やコンパスなどの小物を収容する前ポケットを有している。この前ポケットは、その上辺部及び両側辺部の三方部分に連続して、該前ポケットの内部に小物を出し入れするため略コ字型をした開口部を形成してあり、該開口部にファスナーを装着して開閉できるようにしてある。そして、この種のランドセルの前ポケットには、学童の名前などを記入したネームカードを収容する開口窓を有している（例えば、特許文献１参照)。
【０００３】
前ポケットの上辺部及び両側辺部に連続して設けた略コ字型の開口部に開閉可能に装着したファスナーに２個のスライダーを装着し、両スライダーを前記ファスナーの両端からそれぞれ中間方向に移動させることにより該開口部を閉じ、また、該スライダーをファスナーの両端方向に移動させることにより、前ポケットの前記開口部を開いて内部の小物を取り出せるように形成してある（例えば、特許文献２参照）。
【０００４】
さらにまた、前ポケットの正面中央部に方形または任意形状をした表示窓を設け、この表示窓に透明プラスチック板を取付け、該前ポケットの裏側の上方に挿入口を有して設けた挿入部内に、表面に学童の名前ヤ学年やクラス名などを記載したネームカードを収容できるようにしたものも従来からある（例えば、特許文献３参照）。
【特許文献１】実開平２−５０２１８号公報
【特許文献２】特開２００３−３０４９１６号公報
【特許文献３】実用新案登録第３１０７７５７号公報
【考案の開示】
【考案が解決しようとする課題】
【０００５】
前ポケットの前面板部の上辺部及び両側辺部に連続して設けた、正面から見て略コ字型をした開口部にファスナーを連続して略コ字型に取付け、該ファスナーに装着した２個のスライダーを、前ポケットの上部中間位置に互いに接近させると前記開口部が閉じるようにした構成の場合、以下のような問題点がある。即ち、前ポケットの前記開口部をファスナーで閉じ、ついで、ランドセルの蓋カバーで前ポケットの外側を覆うと、前記スライダーは蓋カバーで覆われてしまって外側から視覚的に確認することができないという問題点があった。
【０００６】
このように、スライダーの位置が外部からわからないと、前記開口部が開いているのか閉じているのかをランドセルの外側から簡単に確認することができない。このような場合、開口部を開いたままランドセルを肩に背負って登下校の途中で学童が転んだりすると、前ポケット内の小物やお金などが飛び出して紛失してしまうおそれ等の欠点があった。
【０００７】
本考案は、前記前ポケットの開口部が閉じているか否かをファスナーの装着しているスライダーの位置で確認できるようにすると共に、スライダー又はスライダーに装着した手持片が蓋カバーの両側から外方に突出するように配したことにより、ランドセルの外側から確認できるようにしたものであり、さらに、開口窓に取付ける透明プラスチック板を特殊な装飾シートを用いたことにより、開口窓の装飾機能を一段と高めたランドセルを提供するものである。
【課題を解決するための手段】
【０００８】
この課題を解決するため本考案は、上部が開口したランドセル本体１３の外側に位置する前面部１２ａに開口窓２８を具えた 前ポケット１５と該ランドセル本体の上部開口及び前ポケットを覆う蓋カバー１４とを有するランドセル１０において、ランドセル本体の前面部１２ａと、前ポケットの前面板部１７との間に設けた開口部２３にファスナー１９を取付け、該開口部２３を閉じると該ファスナーの両端部にそれぞれスライダー２１、２１が位置するように配して設けたことを特徴とする。また、前記開口部２３は、前記ランドセル本体の前面部１２ａと、中央部に方形または任意形状に形成して内部にネームカード４０を収容するため、装飾シート３０を内面に取付けた開口窓２８を有する前ポケット１５の前面板部の上辺部１７ａと両側辺部１７ｂ、１７ｃの上方部分の三方部分に連続して形成してなり、該開口部に装着したコ字型に連続してファスナー１９を具えたファスナー取付片１８ａ、１８ｂの基端を夫々取付け、前記ファスナーに走行可能に手持片２６を有したスライダー２１、２１を取付けたことを特徴とする。さらに、前記手持片２６は、前記開口部２３に取付けたファスナー１９に対をなして移動可能に装着したスライダー２１に、表面に反射面２５を有して柔軟部材を任意形状に折り曲げ又は湾曲させて形成すると共に、該手持片を遊動可能に前記スライダー２１に取付けたことを特徴とする。また、前記装飾シート３０は、透明シートの表面３１に、複数の凸レンズ状の突起３２を連続した任意パターンで設けると共に、該透明シートの裏面３３に、表面３１と同じ連続パターンを持つ模様３５を、表面３１の連続パターンに対して変位させて印刷してなることを特徴とする。
【０００９】
本考案は上記の構成であり、前ポケットの上部に設けた略コ字型をした開口部には、ファスナーを連続して設けてあり、該ファスナーが閉じた状態では、該ファスナーの両端部に夫々スライダーが位置し、且つ、該スライダーに取付けた手持片がランドセルの蓋カバーの両側から突出するように配してあるので、該手持片の位置を確認することにより前記開口部の開閉状態をランドセルから離れた位置から確認できる。
【００１０】
この手持片は、自由に動けるようにスライダーに取付けてあるので、該手持片の反射面で反射した光は学童の体の動きに応じて変化するため、夕暮れ時に光が反射して確認しやすくなるという作用を有する。さらにまた、前ポケットに設けた開口窓に透明な特殊な装飾シートを装着してあるため、この開口窓の内部に収容したネームカードの表記部分を見る場合に、該装飾シートは見る角度や方向によって、該装飾シートに設けた連続模様が変化して立体的に見えるため、ネームカードの装飾効果が一段と高まる作用を呈するものである。
【考案の効果】
【００１１】
以上のように、本考案によれば、ランドセルの前ポケットの上部に設けた略コ字型をした開口部に開閉可能に装着したファスナーに取付けた２個のスライダーが、前記ファスナーの両端部にそれぞれ位置していると前記開口部は閉じ、また、ファスナーの一端部に２個のスライダーが位置すると前記開口部が開いていることをランドセルの外側から確認できる効果がある。
【００１２】
さらに、スライダーには、反射面を有した手持片がランドセルを背負った学童の動きに応じて自由に遊動するように取付けてあり、且つ、ランドセルの蓋カバーの両側から外方に突出するように配してあるので、後方から車輌の前照灯や街灯等の光によって照らされると、該手持片が光ると共に、其の光が変化するため学童の存在を確認できる。
【００１３】
その上、前ポケットの中央部に設けた開口窓には、見る方向や角度によって模様が変化して見える透明な特殊な装飾シートを取付けてあるので、該開口窓の内部に収容した学童の名前などを見る際に、名前と共に該装飾シートの裏面に設けた模様が変化し、見る方向によって模様が変化して見えるため、該開口窓の装飾効果を一段と高める利点がある。
【考案を実施するための最良の形態】
【００１４】
本考案の実施形態を図面により説明すると、図１は、本考案に係る蓋カバーを開いたランドセルの斜視図、図２は、ランドセル本体の外側に取付けた前ポケットの正面図、図３は、ファスナーのスライダーに取付ける手持片の側面図、図４は、装飾シートの一部拡大した平面図、図５は装飾シートの部分断面図、図６は、装飾シートの他の部分断面図である。ランドセル１０は、皮革または合成皮革などで形成したもので、上部を開口して箱型に形成し、その内部に教科書やノートなどを収容する主収容部１１及び副収容部１２を有したランドセル本体１３と、該ランドセル本体の外側に形成した前ポケット１５と、このランドセル本体１３の上部開口および前ポケット１５を覆う開閉可能な蓋カバー１４と、図示しない一対の肩ベルトとで形成してある。
【００１５】
前ポケット１５は、前記ランドセル本体１３の前面部１２ａの下端と、前記前面部１２ａよりやや小さく形成して上方部分を幅狭くして略台形状に形成した前面板部１７の下端とを一体に縫着し、さらに、該前面板部１７の上辺部１７ａおよび上方に位置する両側辺部１７ｂ、１７ｃと、前記前面部１２ａとの間に設けた間隙部分に、端部を両側辺部１７ｂおよび１７ｃに位置させ、中間部を上辺部１７ａに位置させて連続して略コ字型にファスナー１９を取付けてある。
【００１６】
即ち、開閉可能に噛合して連結するファスナー１９を夫々一側辺に有した対をなす布製のファスナー取付片１８ａ、１８ｂの他端を、前記前面部１２ａおよび前面板１７の上辺部１７ａと両側辺部１７ｂ、１７ｃとに夫々縫着して、上方に略コ字型をした開口部２３を設けてある。
【００１７】
このファスナー１９は、ランドセル本体の前面部１２ａと前ポケットの前面板部１７との間に設けた略コ字型をした間隙部分に取付けて該前ポケットの開口部２３を形成してあり、該ファスナー１９に走行自在に装着させたスライダー２１、２１を移動させることにより該開口部２３を開閉することができる。このファスナー１９は、従来の前ポケットの開閉方式と相違し、各スライダー２１、２１がファスナー１９の両端部にそれぞれ位置していると、ファスナーが閉じて開口部２３は閉じた状態になる。
【００１８】
さらに、前記ファスナー１９のいずれか一端に、２個のスライダー２１、２１が位置すると開口部２３は全開している。また、スライダーが前記ファスナーの何れの端部にも位置しない場合には、前記開口部２３の両側部分は開いている。即ち、両側辺部１７ｂ、１７ｃの部分にスライダーが位置しない場合は、該スライダー２１、２１は前記上辺部１７ａに位置するため、少なくとも上辺部に位置するファスナーの一部は閉じている。このように、スライダー２１、２１の位置を確認することにより、前記開口部２３の開口または閉鎖を容易に確認することができる。
【００１９】
閉じている開口部２３を開く場合は、ファスナー１９の両端に夫々位置するスライダー２１、２１のいずれ一方を、他端まで移動することにより開口部２３を開口させることが出来る。この場合、そのため右利きの人でも左利きの人でも開放操作は同じで、スライダーの移動方向がことなるだけである。また、従来のファスナーのように、ファスナーの中央部分に移動させて開口部を閉じる方式の場合に開口部が閉じていると、即ちランドセルを背負って登下校する場合、このスライダーに反射部材などを装着しても背カバーで覆われてしまうので意味がない。これに対し、本考案では、ファスナーで開口部を閉じた状態では、スライダーが前ポケットの両側辺部に位置するため、前ポケット内の小物が外部に脱出することなく、該スライダーを利用して反射面を有した手持片を装着して、背カバーの両側から突出するため、夕暮れ時に運転手が学童を確認しやすくなり交通安全に役立つ作用を呈する。
【００２０】
前ポケットの両側辺部に位置するファスナー部分に、２個のスライダーが接近して位置しているか、あるいは、スライダーが１個も位置していない場合は、該ファスナーの側辺部が開いている状態を示している。また、前ポケットの両側辺部に位置するファスナーの端部に夫々各スライダーが位置すると、該開口部は閉じた状態である。さらに、前ポケットの両側辺部にスライダーが位置しない状態では、前ポケットの上辺部に両スライダーが位置するため、前ポケットの上辺部の少なくとも一部は閉じており、該開口部が大きく開くことはない。即ち、前ポケットの両側辺部にスライダーが位置していない場合は、上辺部にスライダーが位置するため、該開口部が大きく開くことはない。
【００２１】
さらに、ファスナー１９の端部にスライダー２１、２１が位置して開口部２３が閉じた状態の場合に、該スライダーに取付け反射面２５を有する手持片２６が、ランドセルの蓋カバ−１４の両側部分から外方に突出するように配しているので、学童が登校の為に後向きになった際に、前ポケットの開口部２３が開いているか否かを、該手持片２６、２６の存在位置によりを確認することが出来る作用を有している。
【００２２】
このスライダー２１には、柔軟な合成樹脂材からなるテープ素材であって夜光塗料を塗ったり光が当たると効率よく反射する機能を具えた反射面２５を有して任意形状に折り曲げ又は湾曲してビス止めして指先で摘まみやすくした手持片２６を自由に動けるように遊動可能にスライダー２１、２１に取付けてある。そのため、学童の後方から車輌の前照灯が照射されると、蓋カバー１４の両側から突出した手持片２６、２６の反射面が光を反射すると共に、該手持片２６は学童の歩行により遊動して、左右に揺れたり回動したりして該反射面２５がきらめくため、該手持片２６は一段と目立つ機能を有している。
【００２３】
また、学童の側面から車輌の前照灯が照射した場合でも、ランドセル本体１３と蓋カバー１４との間に位置した前ポケット１５の側面部分に位置するファスナー１９部分に装着しているスライダー２１、２１に遊動可能に取付けた手持片２６、２６の反射面２５は光を反射すると共に可動することにより反射面からの光がきらめいたり、光量が変化する為に学童の存在を確認しやすい利点がある。
【００２４】
さらに、前ポケット１５の中央部に、方形又はハート形などの任意形状をして装飾を兼ねて設けた開口窓２８の内面に特殊な装飾シート３０を取付け、この装飾シートの内側にネームカード４０を収容してある。このネームカード４０の表面には、学校名、学年およびクラス名、さらに、ランドセルの持主の氏名を表記して形成してある。
【００２５】
この特殊な装飾シート３０は、明和グラビア株式会社が所有している「装飾シート」という名称の特許第２７６１８６１号の「装飾シート」を利用するものである。この装飾シート３０は、見る角度によって該装飾シートの裏面に連続して設けた任意の模様が変化するように見えるシートであって、どちらの方向から見ても立体的な画像が浮かび上がる作用を有し、装飾効果を一段と高める効果を有するものである。
【００２６】
この装飾シート３０は、合成樹脂材からなる透明シートの表面３１に、複数の凸レンズ状の突起３２を連続した任意のパターン軸（図４に於ける二点鎖線）沿って、例えば亀甲状に設けると共に、該シートの裏面３３に、表面３１と同じ連続パターン軸を持つドット模様３５を、表面３１の連続パターン軸に対して軸方向を変位させて印刷している。前記凸レンズ形状の突起３２は半球状をしている。また、模様３５は、ドット模様の他，突起３２に対応する多角形状の模様でもよい。
【００２７】
図４によれば、突起３２と模様３５が完全に重なった位置から離れるにしたがって、突起３２は模様３５から離れ、さらに離れると隣接する模様３５と重なりあう。図５に示すように，模様３５と突起３２が完全に重なった突起の部分では、どの方向から見ても模様３５を認識できる。しかし、図６に示すように，突起３２と模様３５の重なりが突起３２の約半径分ずれた突起の部分においては、模様３５の存在しない側から突起３２を通して見る場合には、模様３５を認識することはできない．また，模様３５の位置する側から模様３５を見る場合には、模様３５を認識でき、従って、見る方向によって模様３５が見えたり，見えなかったりする。このように装飾シート全体としてみる角度によって模様が変化して立体的に見える特殊な作用を有する。
【００２８】
前記した特殊な装飾シートを内面に取付けた前ポケットの開口窓２８の内部に、ネ−ムカード４０を収容すると、該装飾シート３０の下側に位置した、学校名、学年やクラス名さらに氏名の記載部分が、該開口窓２８を外側から見ると、該装飾シート３０の裏面３３に設けた模様３５が立体的に変化するように見える状態で読み取ることになるので、該ネームカードに記載した各表記部が、立体的に変化して見える模様と同時に見えるため、注目を集めて低学年の学童の興味を集めて、学校に行くのが楽しくなる。さらに、この前ポケットの開口窓２３に注目を集める装飾効果を一段と高める効果を有するものである。
【図面の簡単な説明】
【００２９】
【図１】本考案に係る蓋カバーを開いたランドセルの斜視図である。
【図２】ランドセル本体の外側に取付けた前ポケットの正面図である。
【図３】ファスナーのスライダーに取付けた手持片の側面図である。
【図４】装飾シートの一部拡大した平面図である。
【図５】装飾シートの部分断面図である。
【図６】装飾シートの他の部分断面図である。
【符号の説明】
【００３０】
１０      ランドセル
１２ａ    前面部
１３      ランドセル本体
１４      蓋カバー
１５      前ポケット
１７      前面板部
１７ａ    上辺部
１７ｂ    側辺部
１７ｃ    側辺部
１８ａ    ファスナー取付片
１８ｂ    ファスナー取付片
１９      ファスナー
２１      スライダー
２３      開口部
２５      反射面
２６      手持片
２８      開口窓
３０      装飾シート
３１      表面
３２      突起
３３      裏面
３５      模様
４０      ネームカード
【図１】
0003123182.tif 000003
【図２】
0003123182.tif 000004
【図３】
0003123182.tif 000005
【図４】
0003123182.tif 000006
【図５】
0003123182.tif 000007
【図６】
0003123182.tif 000008